(57)【特許請求の範囲】
【請求項１】
光源からの光を受けて光輝する光輝部材と、
前記光輝部材を収容し、前記光輝部材からの光を視認者に向けて通過させる透光孔が形成されるキャップと、を備え、
前記キャップは、
前記光輝部材からの光を透過する透光材と、
前記透光材に積層され、入射した光の一部を反射し、前記入射した光の一部を透過させる半透過半反射層と、を備える、
ことを特徴とする発光指針。
【請求項２】
前記キャップは、前記光輝部材からの光を前記透光材に透過させる際、前記光輝部材からの光の色を異なる色に変化させる、
ことを特徴とする請求項１に記載の発光指針。
【請求項３】
前記キャップは、
前記発光指針の回転中心に位置し、遮光材からなる中心部と、
前記透光孔が形成され、前記中心部から延びる前記透光材を有する指針部と、を備える、
ことを特徴とする請求項１又は２に記載の発光指針。
【請求項４】
さらに、前記キャップの前記中心部に装着されるキャップカバーと、
前記光輝部材を収容した状態の前記キャップを閉じるブッシュと、を備える、
ことを特徴とする請求項３に記載の発光指針。
【発明の詳細な説明】
【技術分野】
【０００１】
本発明は、発光指針に関する。
【背景技術】
【０００２】
従来の発光指針としては、例えば特許文献１に記載のものが知られている。この発光指針は、光源からの光を受けて光輝する透光部材と、透光部材を収容するカバー部材と、を備える。カバー部材の上面（視認者側の面）には、貫通した透視窓が形成されている。この透視窓を通じて透光部材からの光が視認者に到達する。これにより、発光指針における上面を点灯させることができる。
【先行技術文献】
【特許文献】
【０００３】
【特許文献１】特開２０１２−１０７９７３号公報
【発明の概要】
【発明が解決しようとする課題】
【０００４】
上記特許文献１の発光指針では発光時及び非発行時の見栄えが面白味に欠けており、より斬新な見栄えが求められている。
【０００５】
本発明は、上記実状を鑑みてなされたものであり、より斬新な見栄えの発光指針を提供することを目的とする。
【課題を解決するための手段】
【０００６】
上記目的を達成するため、本発明に係る発光指針は、光源からの光を受けて光輝する光輝部材と、前記光輝部材を収容し、前記光輝部材からの光を視認者に向けて通過させる透光孔が形成されるキャップと、を備え、前記キャップは、前記光輝部材からの光を透過する透光材と、前記透光材に積層され、入射した光の一部を反射し、前記入射した光の一部を透過させる半透過半反射層と、を備える。
【０００７】
また、前記キャップは、前記光輝部材からの光を前記透光材に透過させる際、前記光輝部材からの光の色を異なる色に変化させることが好ましい。
【０００８】
また、前記キャップは、前記発光指針の回転中心に位置し、遮光材からなる中心部と、前記透光孔が形成され、前記中心部から延びる前記透光材を有する指針部と、を備えることが好ましい。
【０００９】
また、前記発光指針は、さらに、前記キャップの前記中心部に装着されるキャップカバーと、前記光輝部材を収容した状態の前記キャップを閉じるブッシュと、を備えることが好ましい。
【発明の効果】
【００１０】
本発明によれば、発光指針において、より斬新な見栄えを実現することができる。
【図面の簡単な説明】
【００１１】
【図１】本発明の一実施形態に係る発光指針の分解斜視図である。
【図２】本発明の一実施形態に係る発光指針の断面図である。
【図３】本発明の一実施形態に係る図２のＡ−Ａ線断面図である。
【図４】本発明の一実施形態に係る（ａ）は非点灯時の発光指針の図２のＡ−Ａ線断面図であり、（ｂ）は点灯時の発光指針の図２のＡ−Ａ線断面図である。
【発明を実施するための形態】
【００１２】
本発明に係る発光指針の一実施形態について図面を参照して説明する。この発光指針は、指針軸（図示略）に連結され、モータ（図示略）からの駆動力に基づきその指針軸を中心に回転する。この発光指針は、自身の回転位置に応じて測定量を指し示す。
【００１３】
（発光指針の構成）
詳しくは、図１に示すように、発光指針１は、キャップカバー１０と、キャップ２０と、光輝部材（ブランク）３０と、ウエイト４０と、ブッシュ５０と、を備える。
【００１４】
キャップ２０は、ＡＢＳ（Acrylonitrile Butadiene Styrene）樹脂やポリカーボネートからなる。キャップ２０は、中空で下方に向かって開口した形状をなす。
キャップ２０は、有底の筒状に形成される中心部２１と、中心部２１から目盛（図示略）に向かって延びる指針部２２と、中心部２１から指針部２２と反対側に延びる後端部２３と、を備える。
【００１５】
キャップ２０の指針部２２は、図３に示すように、例えば青色系の透光材２２ｃと、透光材２２ｃにおける視認者側に露出する面に積層される半透過半反射層２２ｂと、を備える。半透過半反射層２２ｂは、入射した光の一部を反射し、入射した光の一部を透過させる。半透過半反射層２２ｂは、クロム（Ｃｒ）系材料若しくはアルミニウム（Ａｌ）系材料からなり、蒸着法またはスパッタリング法で形成される。なお、半透過半反射層２２ｂは、溶剤系塗料によるハーフミラー塗装層からなるものであっても良い。キャップ２０の透光材２２ｃは、光輝部材３０からの白色の光を青色に変換する。また、キャップ２０の中心部２１及び後端部２３は、例えば黒色系の遮光材で形成されている。キャップ２０は、インサート成形又は２色成形により一体で形成される。
【００１６】
キャップ２０の指針部２２は、その先端に向かうにつれて細くなる長方形柱状に形成されている。具体的には、指針部２２は、図３に示すように、互いに対面する一対の側壁２２ｓと、一対の側壁２２ｓの視認者側の端部を連結する上壁２２ｕとから構成される。キャップ２０の指針部２２には、その上壁２２ｕに指針部２２の長手方向に沿って延びる貫通孔である透光孔２２ａが形成されている。
【００１７】
キャップカバー１０は、図１に示すように、キャップ２０の中心部２１に視認者側から嵌まる有底の円筒状に形成されている。キャップカバー１０は、ＡＢＳ樹脂やポリカーボネートからなり、例えば黒色系の遮光材で形成されている。また、キャップカバー１０の周壁部には、キャップ２０の指針部２２の基端側を避けるように凹部１１が形成されている。
【００１８】
光輝部材３０は、透光性のある透明樹脂、例えばポリカーボネートからなる。光輝部材３０は、キャップ２０の指針部２２の内部空間に嵌まるように先端に向かうにつれて細くなる長方形柱状に形成されている。光輝部材３０は、その基端側で光源（図示略）からの光を受光して光輝部材３０の全体が光輝する。
【００１９】
ウエイト４０は、例えば真鍮からなり、発光指針１におけるバランスを取り、ひいては慣性モーメントを低減させる。
【００２０】
ブッシュ５は、光輝部材３０及びウエイト４０を収容した状態のキャップ２０の開口を塞ぐ略板状をなし、例えば遮光性の有るポリカーボネートからなる。
【００２１】
（発光指針の作用）
まずは、図４（ａ）を参照しつつ昼間に発光指針１が点灯していない場合の作用について説明する。この場合、キャップ２０の半透過半反射層２２ｂは外光Ｌｏの一部を反射させる。これにより、キャップ２０の指針部２２に金属質感を与えることができる。すなわち、視認者には、まるでキャップ２０の指針部２２が金属で形成されているように見える。
【００２２】
次に、図４（ｂ）を参照しつつ夜間に発光指針１が点灯する場合の光の作用について説明する。
図４（ｂ）の矢印Ａ１に示すように、光輝部材３０は光源（図示略）からの例えば白色の光を受けて、その光をキャップ２０の透光孔２２ａ内を通過させる。これにより、キャップ２０の上壁２２ｕの透光孔２２ａに対応する高輝度発光領域２５が光輝する。また、光輝部材３０からの光の一部は、透光材２２ｃ及び半透過半反射層２２ｂを透過して光の色が変化しつつ外部に光が漏れる。本例では、光輝部材３０からの白色の光は、青色の透光材２２ｃを透過することで青色の光に変化する。これにより、図４（ｂ）の矢印Ａ２に示すように、キャップ２０の両側壁２２ｓに対応する低輝度発光領域２６が高輝度発光領域２５と異なる色で、かつ高輝度発光領域２５より低い輝度で光輝する。なお、高輝度発光領域２５は、キャップ２０の両側壁２２ｓのみならず、各側壁２２ｓから透光孔２２ａを除く上壁２２ｕに亘る領域に形成されてもよい。
以上により、発光指針１においては、上壁２２ｕの高輝度発光領域２５が白色で光輝しつつ、両側壁２２ｓの低輝度発光領域２６が青色で光輝する。
【００２３】
（効果）
以上、説明した一実施形態によれば、以下の効果を奏する。
【００２４】
（１）発光指針１は、光源（図示略）からの光を受けて光輝する光輝部材３０と、光輝部材３０を収容し、光輝部材３０から光を視認者に向けて通過させる透光孔２２ａが形成されるキャップ２０と、を備え、キャップ２０は、光輝部材３０からの光を透過する透光材２２ｃと、透光材２２ｃに積層され、入射した光の一部を反射し、入射した光の一部を透過させる半透過半反射層２２ｂと、を備える。
この構成によれば、昼間に発光指針１（光源）が点灯してない場合、キャップ２０の半透過半反射層２２ｂが外光Ｌｏの一部を反射させる。これにより、視認者にあたかもキャップ２０の指針部２２が金属で形成されているかのように見せることができる。一方、夜間に発光指針１（光源）が点灯している場合、光輝部材３０からの光の一部は透光孔２２ａを介して直接に視認者に向けて照射され、残りの光の一部は半透過半反射層２２ｂを透過したうえで視認者に向けて照射される。このように、発光指針１において、透光孔２２ａに対応する高輝度発光領域２５のみならず、半透過半反射層２２ｂに対応する低輝度発光領域２６も点灯させることができる。
以上のように、発光指針１の点灯時及び非点灯時の何れにおいても、より斬新な見栄えを実現することができる。
【００２５】
（２）キャップ２０は、光輝部材３０からの光を透過させる際、当該光の色と異なる色に変化させる着色された透光材２２ｃを備える。
この構成によれば、発光指針１の低輝度発光領域２６においてキャップ２０を通過した光を高輝度発光領域２５と異なる光の色で点灯させることができる。これにより、より斬新な見栄えを実現することができる。
【００２６】
（３）キャップ２０は、発光指針１の回転中心に位置し、遮光材からなる中心部２１と、透光孔２２ａが形成され、中心部２１から延びる透光材２２ｃを有する指針部２２と、を備える。
この構成によれば、キャップ２０の指針部２２について、より斬新な見栄えを実現することができる。
【００２７】
（４）発光指針１は、さらに、キャップ２０の中心部２１に装着されるキャップカバー１０と、光輝部材３０を収容した状態でキャップ２０を閉じるブッシュ５０と、を備える。
この構成によれば、キャップカバー１０及びブッシュ５０を備えた発光指針１について、より斬新な見栄えを実現することができる。
【００２８】
（変形例）
なお、上記実施形態は、これを適宜変更した以下の形態にて実施することができる。
【００２９】
上記実施形態におけるブッシュ５、キャップカバー１０及びウエイト４０の少なくとも何れかを省略してもよい。
【００３０】
上記実施形態においては、キャップ２０の透光材２２ｃは、青系の透光材で形成されていたが、キャップ２０の透光材２２ｃを透明樹脂で形成し、その透明樹脂に青系の透光塗料を塗布してもよい。これにより、透光材２２ｃ上には、白色の光を青色の光に変化させる青系のインク層が形成される。なお、透光材２２ｃの色は、青系に限定されるものではなく、他の色であっても良い。
【符号の説明】
【００３１】
１…発光指針
５…ブッシュ
１０…キャップカバー
１１…凹部
２０…キャップ
２１…中心部
２２…指針部
２２ａ…透光孔
２２ｂ…半透過半反射層
２２ｃ…透光材
２２ｕ…上壁
２２ｓ…側壁
２３…後端部
２５…高輝度発光領域
２６…低輝度発光領域
３０…光輝部材
４０…ウエイト
５０…ブッシュ
【図１】
0006514146.tif 000002
【図２】
0006514146.tif 000003
【図３】
0006514146.tif 000004
【図４】
0006514146.tif 000005